(57)【要約】  本発明は、ユーザデータを記憶させるための情報担体に関するものであり、この情報担体は、ウォブル情報を記憶させたウォブルプリグルーブと、正弦波状のウォブルとを有する。ウォブル情報は、ＡＤＩＰユニットを用いることにより符号化され、これらＡＤＩＰユニットは、ＭＳＫマークのパターンを埋め込んだ順番の正弦波状のウォブルにより形成されている。ブルーレイディスクに存在するような、各ＡＤＩＰユニットの開始時に存在するＭＳＫマークを使用せず、これらのＭＳＫマークによるウォブルビートを回避するために、ＭＳＫマークをパターン内に配置させ、それによりＡＤＩＰユニットの組全体の共通位置にマークが存在しないようにした新規な組のＡＤＩＰユニットを導入する。更に、本発明は、情報担体からウォブル情報を読み出す装置及び方法、並びに情報担体にユーザデータを記録するための記録装置及び方法にも関するものである。
2007502505.tif 000002
【特許請求の範囲】
【請求項１】
ウォブル情報を記憶させたウォブルプリグルーブと、正弦波状のウォブルとを有する、ユーザデータを記憶させるための情報担体であって、前記ウォブル情報がアドレス情報を含む第１ブロックを有し、この第１ブロックが少なくとも１つの第２ブロックを有し、この第２ブロックは、複数の前記正弦波状のウォブルにより形成されており、これら複数の正弦波状のウォブルは、予め決定した複数のマークパターンに属するマークパターン内に配置されたマークを有しており、これらマークパターンにより、前記第２ブロックの開始を規定し、予め決定した前記複数のマークパターンが、前記第２ブロックの開始に関して、予め決定した当該複数のマークパターンの全てに共通する位置にマークを有していない情報担体。
【請求項２】
請求項１に記載の情報担体において、
予め決定した前記複数のマークパターンに属する前記マークパターンは、これら複数のマークパターン内で独自のマークパターンである情報担体。
【請求項３】
請求項１に記載の情報担体において、
各マークパターンは互いに等しい個数のマークを有する情報担体。
【請求項４】
請求項３に記載の情報担体において、
前記等しい個数のマークは３つである情報担体。
【請求項５】
請求項１に記載の情報担体において、
前記第２ブロックはＡＤＩＰユニットであり、前記マークパターンはＭＳＫマークのパターンである情報担体。
【請求項６】
請求項１に記載の情報担体において、
予め決定した前記マークパターン内のマークの位置は、いかなる順番の２つの第２ブロックも、これら２つの第２ブロック間の境界を跨いで、予め決定した前記複数のパターンのうちのいずれのパターンも含まないように選択されている情報担体。
【請求項７】
請求項１に記載の情報担体において、
前記第１ブロックは、一定数の第２ブロックを有しており、第２ブロックの第１グループでは、マークパターンが予め決定されており、第２ブロックの第２グループでは、前記複数のマークパターンから適切なパターンを選択することによりアドレス情報が符号化されている情報担体。
【請求項８】
請求項７に記載の情報担体において、
前記第２ブロックの前記第２グループでは、前記複数のマークパターンに含まれるマークパターンのグループであって、マークパターンを少なくとも３個、特に１６個有する当該グループから適切なパターンを選択することにより、アドレス情報が符号化されている情報担体。
【請求項９】
請求項１に記載の情報担体において、
前記第２ブロックが複数のアドレス情報ビットを表している情報担体。
【請求項１０】
情報担体の情報層のプリグルーブに記憶されたアドレス情報を読み出すための読出装置であって、プリグルーブ内の複数の正弦波状のウォブルを検出するための検出手段と、これら検出された複数の正弦波状のウォブルに記憶されたウォブル情報を復号するための復号手段とを有し、このウォブル情報はアドレス情報を含む第１ブロックを有し、この第１ブロックが少なくとも１つの第２ブロックを有し、この第２ブロックは、複数の前記正弦波状のウォブルにより形成されており、これら複数の正弦波状のウォブルは、予め決定した複数のマークパターンに属するマークパターン内に配置されたマークを有しており、これらマークパターンにより、前記第２ブロックの開始を規定し、予め決定した前記複数のマークパターンが、前記第２ブロックの開始に関して、予め決定した当該複数のマークパターンの全てに共通する位置にマークを有していない読出装置。
【請求項１１】
請求項１０に記載の読出装置と、情報担体の情報層のプリグルーブにユーザデータを記憶させるための記憶手段とを有する記録機器。
【請求項１２】
情報担体の情報層のプリグルーブに記憶されたアドレス情報を読み出す読出方法であって、プリグルーブ内の複数の正弦波状のウォブルを検出する過程と、これら検出された複数の正弦波状のウォブルに記憶されたウォブル情報を復号する過程とを有し、このウォブル情報はアドレス情報を含む第１ブロックを有し、この第１ブロックが少なくとも１つの第２ブロックを有し、この第２ブロックが、複数の前記正弦波状のウォブルにより形成されており、これら複数の正弦波状のウォブルは、予め決定した前記複数のマークパターンに属するマークのパターン内に配置されたマークを有しており、これらマークパターンにより、前記第２ブロックの開始を規定し、予め決定した前記複数のマークパターンが、前記第２ブロックの開始に関して、予め決定した当該複数のマークパターンの全てに共通する位置にマークを有していない読出方法。
【請求項１３】
請求項１２に記載の読出方法に存在する過程と、情報担体の情報層のプリグルーブにユーザデータを記憶させる過程とを有する、情報担体にユーザデータを記録する記録方法。
【発明の詳細な説明】
【技術分野】
【０００１】
本発明は、ユーザデータを記憶させるための情報担体に関するものであり、この情報担体は、ウォブル情報を記憶させたウォブルプリグルーブと、正弦波状のウォブルとを有する。更に、本発明は、この情報担体からアドレス情報を読み出す方法及び装置に関するものである。
【背景技術】
【０００２】
ブルーレイディスク（ＢＤ）フォーマットは、いわゆるＭＳＫ（最小偏移変調）コサインマーク（以下ＭＳＫマークと称する）を用いてウォブルにアドレス情報を符号化する方法に基づいている。ウォブルは、いわゆるＡＤＩＰ（アドレス−イン−プリグルーブ）ユニットにグループ化されており、各ユニットは、５６ウォブルの周期長を有する。このようなＡＤＩＰユニットはＭＳＫマークのパターンを含み、従ってデータユニット及び同期ユニットを構成する。これらの同期ユニット及びデータユニットが相俟って、アドレス情報と、この情報を保護するためのパリティ記号とを有するいわゆるＡＤＩＰワードを形成する。
【０００３】
ＢＤ上のＭＳＫマークの検出は、ウォブルビートと称される現象により悪影響を受ける。ウォブルビートは、隣接するトラックにおけるウォブルのクロストークにより生ずる。このことにより、中央トラックにおけるウォブル信号の振幅ビート及び移相が生じる。このことにより、ディスク上のＭＳＫマークの検出精度を悪化させるおそれがある。
【発明の開示】
【０００４】
本発明の目的は、ＭＳＫマークの検出を信頼あるものとするウォブルプリグルーブを有する情報担体を提供することにある。この情報担体からアドレス情報を読み出すための適切な装置及び方法をも提供する。
【０００５】
この目的は、本発明によれば、特許請求の範囲の請求項１に記載した情報担体、請求項１０に記載した装置、及び請求項１２に記載した方法により達成する。
本発明の好適例は、従属項に規定してある。
【０００６】
本発明は、特にＭＳＫマークがほぼ整列している半径上でマークの検出精度が悪化するという認識に基づくものである。理想的には、隣接するトラックにおいて２つのＭＳＫマークが互いに近接して書き込まれるのを防止すべきである。このようにすることは、実際上可能でないこと勿論であるが、この近接が不規則的に生じるのであればこのことは大きな問題ではない。しかし、ＢＤフォーマットでは、各ＡＤＩＰユニットは（その種類に拘わらず）、ビット同期とも称されるＭＳＫマークから始まる。この規則的な構造のため、ビット同期により、長期間の間ある半径上にＭＳＫマークを整列させてしまう。このことは望ましいことではなく、ビット同期を無くすのが好ましい。しかし、ビット同期が無くても２つのＡＤＩＰユニット間の遷移を検出することはできる。
【０００７】
従って、本発明によれば、各ＡＤＩＰユニットの開始時に整列されているビット同期を用いる代わりに、プリグルーブの正弦波状のウォブル内に埋め込んだマークの所定パターンであって、ウォブル情報に記憶された情報と、ＡＤＩＰユニットの開始時との双方を表す当該マークのパターンを用いる方法を見出した。従って、既知のパターンではＡＤＩＰユニットの開始を示すビット同期が全てのパターンの共通位置に存在するが、本発明によれば、予め決定した複数のマークパターンの全てにおける共通位置にマークが存在しないようにする。即ち、本発明により提案するマークのパターンは、ビット同期を省略しうるものである。その理由は、これらマークのパターンが、ビット同期と同様の機能、即ち読出装置が第２ブロックの開始を検出し、場合によっては好適例で提案するように他のアドレス情報をも検出しうるようにする機能を提供する為である。従って、従来、ビット同期により占有されていた記憶スペースを、ユーザデータのような他の情報を符号化するのに用いることができる。更に、マークのパターンが整列する問題を解決することにより、ビット同期の整列による検出精度の悪化が防止される。
【０００８】
本発明の一例では、第２ブロックの複数の正弦波状のウォブルが独自のマークパターンを有する、即ち、容易に検出しうる予め決定した複数の独自のマークパターンが存在するようにし、それぞれの異なるパターンが、異なる種類の情報、例えばアドレスビット又はアドレスバイトのようなある種のアドレス情報を表すようにする。
【０００９】
更に、それぞれのマークパターンが、互いに等しい個数のマークを有するようにしうる。このことは検出の観点から有利である。即ち、マークパターンに記憶されているある情報を復号するのに、そのマークパターンにいくつのＭＳＫマークが属しているかが、読出装置にとって分るためである。
【００１０】
特に、各パターンのマークの数は３つにすることができ、各第２ブロックは５６個の正弦波状のウォブルを有するのが好ましい。他の例では、ＢＤフォーマットに基づいて、特にいわゆるポータブルブルーと称する意図するフォーマットに対して、第２ブロックをＡＤＩＰユニットにして、マークパターンをＭＳＫマークのパターンにする。
【００１１】
予め決定したマークパターンにおけるマークの位置は、いかなる順番の２つの第２ブロックも、これら２つの第２ブロック間の境界を跨いで、予め決定した前記複数のパターンのうちのいかなるパターンをも含まないように選択するのが更に好ましい。従って、いかなる２つの第２ブロックを組み合わせても、これら第２ブロックの境界には既に存在するパターンが形成されない。更に、予め決定したパターンのグループは異なっており、第１グループ内のパターンは、他の全てのパターンに対して、例えば少なくとも２の大きな相違を有しているのに対し、第２グループ内のパターンは少なくとも１の小さな相違を有するようにしうる。この場合、第１グループのパターンの方が、第２グループのパターンより正確に検出される可能性が高い。
【００１２】
本発明の更に他の例では、第１ブロックが一定数の第２ブロックを有するようにし、第２ブロックの第１グループではマークパターンが予め決定されており、第２ブロックの第２グループでは、複数のマークパターンから適切なパターンを選択することにより、アドレス情報が符号化されていることを提案する。従って、例えば、いわゆるＡＤＩＰワードを、予め決定した個数のＡＤＩＰユニットを用いて構成することができ、第１グループのＡＤＩＰユニットは、ある種のＡＤＩＰワードの同期を表すように固定し、第２グループでは適切なＡＤＩＰユニットを選択することによりアドレス情報を符号化することができる。
【００１３】
特に、前記第２ブロックの第２グループのアドレス情報は、複数のマークパターンに含まれるマークのパターンのグループであって、少なくともマークパターンを３個、特にはマークのパターンを１６個有している当該グループから適切なパターンを選択することにより符号化し、このことは、各第２ブロックが、４つまでのアドレス情報ビットを表しうることを意味している。
【００１４】
他の例では、第２ブロックが複数のアドレス情報ビットを表すようにして、アドレス情報をウォブルプリグルーブ内に高密度で記憶させ得るように、特に、アドレス速度がより速くなるようにし得る。
【００１５】
本発明を、図面を参照してより詳細に説明する。
図１、図２及び図３は、ＢＤ規格に従ったＭＳＫマーク、７種の異なるＡＤＩＰユニット及びこれら８種の異なるＡＤＩＰユニットに基づいて形成したＡＤＩＰワード構造を示す。
【００１６】
図面から分るように、ＡＤＩＰワードは、８３個のＡＤＩＰユニット、即ち１６６フレーム長となっている。この数の選択は、（ランインフィールド及びランアウトフィールドを含む４９８フレーム長である）ＥＣＣブロックの構造に密接に関連する。ポータブルブルー（ＰＢ）（商品名）の場合、ランイン及びランアウトフィールドを含む２５０フレーム長の異なる誤り訂正フォーマットが選択される。従って、ＡＤＩＰフォーマットを、この新しいフレーム長に適合させる必要がある。
【００１７】
好適例によれば、本発明は、ＢＤ規格から派生した、携帯装置用の新規なフォーマットの光ディスクに適用する。特に、この新規なフォーマットは、ＢＤ規格と適合する以下の特徴を有する。
−  ウォブル周期が６９Ｔである。１９３２個のチャンネルビットからなる１フレームは、２８個のウォブルに等しい。
−  ＡＤＩＰ情報は、ＭＳＫコサイン変調を用いて符号化される。
−  （国際公開パンフレットＷＯ03/017499 の明細書に記載されているようにアドレスのグレイ符号化に加えて）インフォームドデコード誤り訂正フォーマット、即ち幾つかの情報記号がデコーダにとって既知である場合に、誤り訂正符号に関する誤り訂正能力を向上させる（国際公開パンフレットＷＯ02/093754 の明細書に記載されているような）方法を使用する。
【００１８】
しかし、この新規なフォーマットは、各ＥＣＣブロック当りのユーザデータが３２キロバイトである場合に、記録ユニットブロック（ＲＵＢ）が、２５０フレーム長（２４８フレーム長がＥＣＣブロックに対するもので、２フレーム長がランイン及びランアウトフィールドに対するもの）である点においてＢＤ規格と異なっている。従って、ＲＵＢの長さは、２５０×２８＝７０００ウォブルである。これに基づき、ＲＵＢを整数個のＡＤＩＰユニットに分割するには以下の２つの選択肢がある。
１．１２５ユニット×５６ウォブル（ブルーレイフォーマットと同様に２フレームに相当する）
２．１００ユニット×７０ウォブル
【００１９】
ほぼ１つのＲＵＢが、ポータブルブルーディスクの内径（６ｍｍ）上の１円周に設けられる。１回転当り（概算で）約４〜８個のアドレスが存在することになる。更に、電力を節約しうるように、アドレス速度をブルーレイディスク規格のものより増大させる必要がある。
【００２０】
このフォーマットでは、ＲＵＢをカウントするのに１８ビットが使用される。各ＲＵＢは、３２キロバイトのユーザデータを記録しうるため、各層において合計で２18×３２×１０２４＝８．６ＧＢの記憶容量をアドレスすることができる。これは、本実施例を適用する形状係数の小さな光ディスクには充分なものである。
【００２１】
好適例では、５６ウォブルのＡＤＩＰユニットの各々を、ＲＵＢ当り１２５個のＡＤＩＰユニットが付与されるように選択する。
【００２２】
本発明によれば、１８種の異なるＡＤＩＰユニット、即ち
−    ２種の同期ユニット（sync_0及びsync_1）
−    １６種のデータユニット（data_0〜data_15）
を存在させるのが好ましい。データユニットは、４つのビットを表しており、data_0は‘0000’を表し、data_1は‘0001’を表し、data_2は‘0010’を表し、以下同様な関係で表される。
【００２３】
これら１８種のＡＤＩＰユニットを図４に示す。これらは、検出を確実なものとしうる以下の特性を有している。
−  各ＡＤＩＰユニットには、３つのＭＳＫマークの独自のパターンが含まれている。
−  同期ユニットは、他の全てのユニット（同期及びデータユニットの双方）に対して２の相違（ディスタンス）を有する。
−  データユニットは、相互間で少なくとも１の相違を有する。ビットロックの状態（即ち、ＡＤＩＰユニットの境界位置が既知の状態）の場合、データユニットは、相互間で少なくとも２の相違を有する。
−  任意の２つのＡＤＩＰユニットを互いに組み合わせることにより、これらの境界上に存在するデータ又は同期パターンを形成しない（パターン間のギャップは少なくとも１７であり、いかなるデータパターンにおいても２つのＭＳＫマーク間の最長ギャップは１５である）。
−  パターンの１つを検出することにより、ＡＤＩＰユニットの開始位置に関する正確な情報が得られる。
−  ビットロックの場合には、data_0〜data_4は相互間で３の相違を有する。
【００２４】
本明細書における「相違」の用語は、２つのパターン間の類似度の逆として理解することができる。即ち、２つのパターン間の類似度が大きくなるほど、これらの相違は小さくなる。この場合、２つのパターン間の相違を以下の２つの異なる状態で規定することができる。
１）ＡＤＩＰユニット内のパターンの位置を考慮しない場合：
２つのパターン間の相違を決定するために、可能な限り多くのマークが重なるようにＡＤＩＰユニットを任意の位置で互いに重ね合せることができる。全てのマークが重なる場合には相違は０であると言える。重ならない１つのマークがあるパターンの位置が少なくとも１箇所でも存在しする場合には、相違は１であると言える。この場合、全てのマークが重なるパターンの位置は存在しない。２つの重ならないマークがあるパターンの位置が少なくとも１箇所でも存在する場合には、相違は２であると言える。この場合、重ならないマークが１個又は０個であるパターンの位置は存在しない。
２）ＡＤＩＰユニット内のパターンの位置を考慮する場合：
２つのパターン間の相違を決定するために、これらパターンに対応するＡＤＩＰユニットを互いに重ね合せる。前述したのと同じように、全てのマークが重なる場合には相違は０であると言える。１つの重ならないマークがある場合には、相違は１であると言え、以下同様にして相違が決定される。
【００２５】
１つのＡＤＩＰユニット当り３つのマークが存在する場合、取り得る最大の相違は、前記１）の場合では２であり、前記２）の場合では３である。
【００２６】
ブルーレイディスクのフォーマット、即ち図２に示すＡＤＩＰユニットに用いられる場合にはビット同期が用いられているが、本発明の実施例によれば、ビット同期を存在させない。このことにより最悪の場合、即ち隣接するトラックにおいてビット同期が（ほぼ）整列する場合が解消される。その理由は、円周が整数位のＡＤＩＰユニットとなるためである。その代わりに、「ビット同期」は間接的に記憶されているものである。即ち、３つのＭＳＫマークからなる各パターンは、ＡＤＩＰユニット内で固定位置を有し、従って、パターンを検出するとは、ＡＤＩＰユニットの開始、即ちビット同期位置が分ることをも意味するものである。
【００２７】
本発明の好適例において用いられる１つのＲＵＢユニットの１２５個のＡＤＩＰユニットは、２５ユニット毎の５つのブロックに分けられている。これらブロックのそれぞれはＡＤＩＰワードを含み、このＡＤＩＰワードは、各ニブルが４ビットである１５ニブル（ｃ0 ，ｃ1 ，…，ｃ14）から構成されている。このようなＲＵＢユニットの分割を図５に示す。
【００２８】
ＡＤＩＰワードの構造を以下の表に示す。
【表１】
2007502505.tif 000003
【００２９】
このＡＤＩＰワード（ｃ0 〜ｃ14）は、非系統的なリードソロモン（ＲＳ）コードを用いて９個の情報ニブル（ｎ0 〜ｎ8 ）を符号化することにより形成したリードソロモン（ＲＳ）コードワードである。このＲＳコードは、グレイエンコーダを加えることによりブルーレイディスクにおいて用いられるようなインフォームドデコーディングＲＳコードである。
【００３０】
情報ニブルｎ0 〜ｎ8 のビット割り当てを以下の表に示す。
【表２】
2007502505.tif 000004
AA23..AA0 ：層番号
AA20..AA3 ：ＲＵＢ番号
AA2..AA0：ＲＵＢ内のアドレス順番番号（0..4）
AX11..AX0：ディスク情報を記憶させるのにランインにおいて用いられる補助（ＡＵＸ）データ
【００３１】
本発明のその他の実施例には、以下の変型例がある。
−  ７０ウォブルからなるＡＤＩＰユニットにより、１つのＲＵＢ当り１００個のＡＤＩＰユニットを構成し、これは、各グルーブが２０個のユニットからなる５つのグループに分割することができる。（少なくとも１つの同期ユニットを追加して）ＡＤＩＰユニットを再規定することにより、１つのＲＵＢ当り５つのアドレスを記憶させることもできる。この実施例の利点は、１つのＲＵＢ当りのＭＳＫマークが少なくなることにある。この実施例の欠点は、（パターンが長くなり、評価に必要とする位置が５６ではなく７０になる為）最尤デコーダが約２５％大きくなり、しかもデータフレームがＡＤＩＰユニットと整列しなくなるということである。
−  １つのＲＵＢ当りのアドレス数を６とする。これによれば、各グループが２０ユニットからなる６つのグループと、５つの残りのユニットとが得られる。この場合、少なくとも１つの追加の同期を必要とし、これは、同期パターンの相互間の相違を２とする必要がない場合にのみ発生させうる。更に、５つの残りのＡＤＩＰユニットに対して、「スタッフィング」ユニット（例えば一群の同期ユニット）を存在させる必要がある。
−  １つのＲＵＢ当りのアドレス数を７とする。これによれば、各グループが１７ユニットからなる７つのグループと、６つの残りユニットとが得られる。１つのグループは、ＡＤＩＰワード当り１５のニブルと２つの同期とを記憶しうる。この場合にも、残りユニットに対しスタッフィングが必要となる。
−  １つのＲＵＢ当りのアドレス数を８以上とする。これによれば、１つのアドレス当り記憶させるニブルを少なくする必要がある。このことは、例えば、ＡＵＸニブル及びパリティニブルの双方又はいずれか一方を除外することにより達成することができる。
【００３２】
図６は、光ディスクのような情報担体２上にユーザデータを記録させ、且つそこからユーザデータを読み出し得る本発明による装置１の主要素子を線図的に示す。この装置１は、処理ユニット４を有し、この処理ユニット４は、入力端３において、情報担体２上に記憶させるユーザデータを受けるようになっている。この処理ユニット４は、主に、ユーザデータを符号化してコードワード内に変調する作用をし、これらコードワードは、読み出し／書き込み手段５に送られ、情報担体２上に書き込まれる。更に、処理ユニット４は、読み出し／書き込み手段５により情報担体２から読み取られたコードワード及び正弦波状のウォブルを復号化及び復調してそれぞれ出力端７に供給するユーザデータ及びウォブル情報を得る復号及び変調手段を有する。
【００３３】
情報担体２においては、プリグルーブに、複数の正弦波状のウォブルが設けられており、これらウォブル内にウォブル情報、特にアドレス情報が記憶される。本発明の好適例によれば、このウォブル情報は、図４に示すＡＤＩＰユニットを用いて符号化される。
【００３４】
ディスク上にユーザデータを書き込む前及び書き込んでいる間に、又はディスクからユーザデータを読み出している間にも、プリグルーブの正弦波状のウォブルが、読み出し／書き込み手段５により検出され、検出されたこれらウォブル内に記憶されているウォブル情報、例えばアドレス情報は、処理ユニット４内に設けられた適切な復号化手段により復号化される。
【００３５】
本発明を、特にＢＤフォーマットに基づく光ディスクを参照して説明したが、その代わりに他の実施例を用いても同じ目的を達成しうることは明らかであろう。従って、本発明は、上述した実施例に限定されるものではなく、その他の種類の情報担体、又は情報伝達手段にも適用しうるものである。
【００３６】
本発明は、ハードウェア及びソフトウェアの双方により実施しうるもので、幾つかの「手段」は、同じハードウェアのアイテムから構成しうる。更に、本発明は、新規な特徴の各々又はこれら特徴の任意の組み合わせにある。
【００３７】
本発明は、以下のように要約することができる。本発明は、ユーザデータを記憶させるための情報担体に関するものであり、この情報担体は、ウォブル情報を記憶させたウォブルプリグルーブと、正弦波状のウォブルとを有する。ウォブル情報は、ＡＤＩＰユニットを用いることにより符号化され、これらＡＤＩＰユニットは、ＭＳＫマークのパターンを埋め込んだ順番の正弦波状のウォブルにより形成されている。ブルーレイディスクに存在するような、各ＡＤＩＰユニットの開始時に存在するＭＳＫマークを使用せず、これらのＭＳＫマークによるウォブルビートを回避するために、ＭＳＫマークをパターン内に配置し、それによりＡＤＩＰユニットの組全体の共通位置にマークが存在しないようにした新規な組のＡＤＩＰユニットを導入する。更に、本発明は、情報担体からウォブル情報を読み出す装置及び方法にも関するものである。
【図面の簡単な説明】
【００３８】
【図１】図１は、ＢＤによるＭＳＫコサイン変調の原理を示す線図である。
【図２】図２は、ＢＤによるＡＤＩＰユニットの種類を示す線図である。
【図３】図３は、ＢＤにおいて用いられるＡＤＩＰワードの構造を示す。
【図４】図４は、本発明の好適例によるＡＤＩＰユニットの種類を示す線図である。
【図５】図５は、本発明の好適例による記録ユニットブロックの構造を示す線図である。
【図６】図６は、本発明による装置を示すブロック線図である。
【図１】
2007502505.tif 000005
【図２】
2007502505.tif 000006
【図３】
2007502505.tif 000007
【図４】
2007502505.tif 000008
【図５】
2007502505.tif 000009
【図６】
2007502505.tif 000010
【国際調査報告】
2007502505.tif 000011
2007502505.tif 000012
2007502505.tif 000013